(57)【特許請求の範囲】
【請求項１】
選挙の投票箱の上面に設けられた投票口３に傾斜板１１１を付設し、前記傾斜板１１１は、一方端に投票箱の投票口３の投票口縁に引っ掛けるフック部１３が形成され、他端の裏面には支え板１５が枢着されると共に該傾斜板１１１と支え板１５との開度を規制する支承板１７が枢止され、支え板１５の下端は選挙の投票箱の上面の立上がり縁４に係止されていることを特徴とする選挙の投票箱。
【請求項２】
選挙の投票箱の上面に蓋体２０が枢止されていると共に、投票口に係止される傾斜板１１１には、一方端に投票箱の投票口３の投票口縁に引っ掛けるフック部１３が形成され、裏面には係止部１９が形成されていると共に、該係止部１９に蓋体２０の他端が係止され、投票用紙を付設された傾斜板１１１の傾斜面に沿わせながら投票することで、投票用紙を折り畳むことなく投票できるようにしたことを特徴とする選挙の投票箱。
【請求項３】
選挙の投票箱の上面に設けられた投票口の凹部に嵌合する断面Ｌ型傾斜板２３を投票口の上端に枢止し、投票用紙を付設された断面Ｌ型傾斜板２３の傾斜面に沿わせながら投票することで、投票用紙を折り畳むことなく投票できるようにしたことを特徴とする選挙の投票箱。
【請求項４】
選挙の投票箱の上面に設けられた投票口３に差し込む延長部を有すると共に、上方の裏面に支承板２９を枢止した折畳み傾斜板２８の下方部を投票口３近傍に枢止３３し、前記支承板２９の他端には投票箱の上面に設けられた係止孔３１に係止される係止片３４が形成され、投票用紙を付設された折畳み傾斜板２８の傾斜面に沿わせながら投票することで、投票用紙を折り畳むことなく投票できるようにしたことを特徴とする選挙の投票箱。
【発明の詳細な説明】
【０００１】
【発明の属する技術分野】
本発明は、選挙の投票用紙を開いたままでも投票できるように改良した投票口を有する選挙の投票箱に関するものである。
【０００２】
【従来の技術】
従来、国および地方自治体などの公職選挙で使用されている投票用紙は、記載場所で候補者の氏名を記載後、投票の際にその記載内容を他の人に見られないようにするため、投票用紙の記載面を内側にして二つ折りにし投票口から投票箱に投票されている。そして、この投票された投票用紙は、二つ折りにされて投票箱の中に入れられるが、二つ折りにされたままの状態だと、開票の際に投票用紙を一つ一つ開いてから集計をしなければならず、このため投票の開票集計作業に多くの時間と人手を用していた。
【０００３】
このような開票集計作業時間の短縮を図る目的から、例え、二つに折り畳んでも元のように開く復元力を有する合成紙が使用されており、投票口から投票箱に投票された投票用紙は、開かれた状態で投票箱の中に入るようになっている。このように復元力を有する合成紙は特製品であることから、普通紙に比べると一枚あたりの単価も高くならざるを得なかった。
【０００４】
従来の選挙用の投票箱を図１〜図２により説明する。図１は従来の選挙の投票箱の斜視図であり、図２は投票箱の投票口に投票用紙を差し入れた状態図である。図１に示されているように従来の選挙用の投票箱１は、稍縦長の四角形の箱体をしており、その上面２には、略１０ｍｍ程度のスリット幅と投票用紙の幅より若干の余裕を有するスリット状の投票口３が１個乃至２個設けられている。該投票口３の端は、二つ折りにした投票用紙１０が入れ易いように投票口縁９、９が形成されており、この投票口３に復元力を有する二つ折りにした投票用紙１０が入れられるようになっている。
【０００５】
そして、このスリット状の投票口３を囲むように立上がり縁４が設けられており、この立上がり縁４の外側に嵌る蓋体５が、ヒンジ６によって投票箱１の上面２に設けられている。投票後、投票箱１の上面２と蓋体５に設けられた錠取付片７と錠取付片８とに錠が掛けられて、投票口３が蓋体５で閉塞され、投票箱１が開票されるまで保管場所で管理される。
【０００６】
【発明が解決しようとする課題】
しかしながら、従来の選挙の投票箱のように上面に設けられた幅が略１０ｍｍ程度の投票口から投票された投票用紙は、二つ折りされた状態で投票箱に入れられるが、投票する人が、投票用紙を投票口から完全に投票箱の中に入るように指で押し込んで投票せずに、投票用紙を途中まで押し込んだままで立ち去ることが儘あった。
【０００７】
すると、この投票箱の投票口の投票口縁に止まったままの中途半端な状態の投票用紙は、投票口の途中まで押し込まれた状態で投票用紙の折り目に拡がろうとする復元力が働き、投票用紙の記載面に記載した候補者名が、次に投票する人や他の人が見得る状態となるが、これを避けるために選挙立会人などの第三者が投票された投票用紙を押し込むことは禁止されている。このため、投票口の途中の投票用紙は、自然に投票箱の中に入るか、次の投票者の投票用紙と共に中に入るのを待つしかないと云った状況にある。
【０００８】
そこで、本発明は、上述した課題によりなされたもので、投票箱の投票口に傾斜板を付設することにより投票用紙を二つ折りにすることなく、投票用紙の候補者名を記載した記載面を下向きにした儘で投票口に付設された傾斜板の傾斜面に沿わせながら投票することのできるようにした選挙の投票箱を提供することを目的とするものである。
【００１０】
【課題を解決するための手段】
上記の目的を達成するため、本発明の請求項１に記載の発明は、選挙の投票箱の上面に設けられた投票口３に傾斜板１１１を付設し、前記傾斜板１１１は、一方端に投票箱の投票口３の投票口縁に引っ掛けるフック部１３が形成され、他端の裏面には支え板１５が枢着されると共に該傾斜板１１１と支え板１５との開度を規制する支承板１７が枢止され、支え板１５の下端は選挙の投票箱の上面の立上がり縁４に係止されていることを特徴とするものである。
【００１１】
また、上記の目的を達成するため、本発明の請求項２に記載の発明は、選挙の投票箱の上面に蓋体２０が枢止されていると共に、投票口に係止される傾斜板１１１には、一方端に投票箱の投票口３の投票口縁に引っ掛けるフック部１３が形成され、裏面には係止部１９が形成されていると共に、該係止部１９に蓋体２０の他端が係止され、投票用紙を付設された傾斜板１１１の傾斜面に沿わせながら投票することで、投票用紙を折り畳むことなく投票できるようにしたことを特徴とするものである。
【００１２】
また、上記の目的を達成するため、本発明の請求項３に記載の発明は、選挙の投票箱の上面に設けられた投票口の凹部に嵌合する断面Ｌ型傾斜板２３を投票口の上端に枢止し、投票用紙を付設された断面Ｌ型傾斜板２３の傾斜面に沿わせながら投票することで、投票用紙を折り畳むことなく投票できるようにしたことを特徴とするものである。
【００１３】
また、上記の目的を達成するため、本発明の請求項４に記載の発明は、選挙の投票箱の上面に設けられた投票口３に差し込む延長部を有すると共に、上方の裏面に支承板２９を枢止した折畳み傾斜板２８の下方部を投票口３近傍に枢止３３し、前記支承板２９の他端には投票箱の上面に設けられた係止孔３１に係止される係止片３４が形成され、投票用紙を付設された折畳み傾斜板２８の傾斜面に沿わせながら投票することで、投票用紙を折り畳むことなく投票できるようにしたことを特徴とするものである。
【００１４】
【発明の実施の形態】
以下、本発明の選挙用投票箱の実施の形態を図３〜図１６によって説明する。図３は本発明の投票箱に付設する第１の実施の態様の傾斜板の平面図であり、図４は図４の傾斜板の側断面図、図５は図４の傾斜板の折り畳んだ状態図、図６は本発明の投票箱に付設する第２の実施の態様の傾斜板の平面図、図７は図６の傾斜板の側断面図、図８は図６の傾斜板を取り外した選挙用投票箱の側断面図である。
【００１５】
図９は本発明の投票箱に付設する第３の実施の態様の傾斜板を投票箱に付設した投票箱の斜視図、図１０は図９の傾斜板の側断面図、図１１は図９の傾斜板を収納の状態図、図１２は図９の傾斜板を蓋体で被覆した状態図、図１３は本発明の投票箱に付設する第４の実施の態様の傾斜板を投票箱に付設した投票箱の斜視図、図１４は図１３の傾斜板の平面図、図１５は図１３の傾斜板の側断面図、図１６は図１３の傾斜板の折り畳んだ状態図である。
【００１６】
本発明の投票口に傾斜板を付設した投票箱について説明する。図３に図示されているように、本発明の投票箱に付設する第１の実施の態様である傾斜板１１１は、略四角形の板体であり、その幅はスリット状の投票口３と略同じ幅を有している。傾斜板１１１の両端縁には案内縁１２、１２が形成されており、また、傾斜板１１１の一方端には、投票箱１の上面２投票口３の投票口縁９に引っ掛けるフック部１３が設けられている。
【００１７】
そして、傾斜板１１１の裏面側には、係止孔１８を有する略四角形の支え板１５がヒンジ１４で取付けられており、且つ、裏面側の略中央部下方には支承板１７がヒンジ１６によって取付けられており、支承板１７の他端には支え板１５に形成された凸状形状の係止孔１８に係止される窪み部を有する支承係止片１７１が形成されている。
【００１８】
このように構成された傾斜板１１１は、一方端に設けられたフック部１３を、従来公知の投票箱１の上面２に形成されたスリット状の投票口３の投票口縁９に引っ掛けると共に、支承板１７の他端のヒンジ１４によって略四角形の支え板１５が枢動し、支え板１５の他端は、投票口３の周りに設けられている立上がり縁４に当接して支持される。また、傾斜板１１１の裏面にヒンジ１６により枢動自在に取付けられている支承板１７の端部の支承係止片１７１は、支え板１５に形成された凸状形状の係止孔１８の幅広の孔から差し込まれ、支承係止片１７１形成された窪み部が凸状形状の係止孔１８の幅狭の部分に係止されて、傾斜板１１１は、投票口３の投票口縁９に確実に支持取付けされる。
【００１９】
そして、このように投票口３の投票口縁９に確実に支持取付けされた傾斜板１１１を有する投票箱１を使用しての投票の際には、選挙人は、記載場所で投票用紙に候補者の氏名を記載後、投票の際にその記載内容を他の人に見られないようにするため、投票用紙の記載面を下向きにして傾斜板１１１の表面側に押し当てながら投票箱１の投票口３に投票用紙を入れる。
【００２０】
そして、このようにして投票された投票用紙は、傾斜板１１１の表面側に沿って投票口３から確実に投票箱１の中に入れられるので、従来のように二つ折りされた復元力を有する投票用紙が、投票箱１の投票口３に投票用紙が止まったままの中途半端な状態に留まる恐れもなく、また、投票用紙を二つ折りとする必要性もないので、復元力を有する特製の投票用紙（合成紙）を使用する必要もなく、投票用紙として普通紙を使用することができる。
【００２１】
また、本発明の傾斜板１１１は、使用に際しては、従来より使用されている投票箱１の投票口３の投票口縁９にフック部１３を引っ掛けると共に、傾斜板１１１の裏面に設けられた支え板１５とで投票箱１に確実に支持取付けされており、不使用時には、投票箱１から簡単に取り外されて図５に示されているように折り畳まれて、外蓋内に収納することができる。
【００２２】
次に、図６に図示されている本発明の投票箱に付設する第２の実施の態様である傾斜板１１２は、略四角形の板体であり、傾斜板１１２の両端縁には案内縁１２、１２が形成されており、また、傾斜板１１２の一方端には、投票箱１の上面２の投票口３の投票口縁９に引っ掛けるフック部１３が設けられている。また、傾斜板１１２の上方には、裏面側に係止部１９が突設されている。
【００２３】
一方、投票箱１の上面２には従来の投票箱と同様のスリット状の投票口３が設けられており、投票口３には投票口縁９、９が形成されていると共に、投票箱１の上面２には蓋体２０がヒンジ２１によって揺動自在に取付けられており、通常、投票箱１の上面２の投票口３を覆い、蓋体２０に形成された孔に投票箱１の上面２に設けられた錠取付片２２が嵌められ、錠取付片２２の孔に錠が取付けられるようになっている。蓋体２０の端縁は、起立時に傾斜板１１２に設けられた係止部１９と当接するようになっている。
【００２４】
このように構成された傾斜板１１２は、一端に設けられたフック部１３を、投票口３の投票口縁９に引っ掛けると共に、起立した蓋体２０の端縁を傾斜板１１２の係止部１９と当接させて係止されて、傾斜板１１２は、投票口３の投票口縁９に確実に支持取付けされる。
【００２５】
そして、このように投票口３の投票口縁９に確実に支持取付けされた傾斜板１１２を有する投票箱１を使用しての投票の際には、選挙人は、記載場所で投票用紙に候補者の氏名を記載後、投票の際にその記載内容を他の人に見られないようにするため、投票用紙の記載面を下向きにして傾斜板１１２の表面側に押し当てながら投票箱１の投票口３に投票用紙を入れる。
【００２６】
そして、このようにして投票された投票用紙は、傾斜板１１２の表面側に沿って投票口３から確実に投票箱１の中に入れられるので、従来のように二つ折りされた復元力を有する投票用紙が、投票箱１の投票口３に投票用紙が止まったままの中途半端な状態に留まる恐れもなく、また、投票用紙を二つ折りとする必要性もないので、復元力を有する特製の投票用紙を使用する必要もなく、投票用紙として普通紙を使用することができる。
【００２７】
また、本発明の傾斜板１１２は、使用に際しては、従来より使用されている投票箱１の投票口３の投票口縁９にフック部１３を引っ掛けると共に、傾斜板１１２の裏面に設けられた支え板１５とで投票箱１に確実に支持取付けされており、また、不使用時には、投票箱１から簡単に取り外される。そして、蓋体２０によって投票箱１の投票口３を覆い、錠取付片２２に施錠されて、開票時まで保管場所で保管される。
【００２８】
次に、図９は、断面Ｌ型傾斜板２３を投票口３の投票口縁３６の上端にヒンジ３７によって枢止された断面Ｌ型傾斜板２３を使用した投票箱１に係るもので、この図９に図示されている本発明の投票箱に付設する第３の実施の態様である傾斜板について説明すると、投票箱１には上面２に投票口縁３５と投票口縁３６とで構成する投票口３が設けられている。断面Ｌ型傾斜板２３から曲折した短片２３１の端縁は投票箱１の上面２に当接し、また、断面Ｌ型傾斜板２３には点検孔２４が所要数形成されている。また、投票箱１の上面２には、把手２６が取付けられており、投票箱１の四周の側壁の上部には、周り縁２５が設けられ、開票作業まで保管されているときに投票口３を閉塞するための蓋体２７の端縁を支持するための周り縁２５が設けられている。
【００２９】
図１０に図示されているように断面Ｌ型傾斜板２３は、起立されて投票口３の投票口縁３６の傾斜に連なるように接続されており、このように投票口３の投票口縁３６に接続された断面Ｌ型傾斜板２３を有する投票箱１を使用しての投票の際には、選挙人は、記載場所で投票用紙に候補者の氏名を記載後、投票の際にその記載内容を他の人に見られないようにするため、投票用紙の記載面を下向きにして断面Ｌ型傾斜板２３の表面側に押し当てながら投票箱１の投票口３に投票用紙を入れる。
【００３０】
そして、このようにして投票された投票用紙は、断面Ｌ型傾斜板２３の表面と投票口縁３６の表面に沿って投票口３から確実に投票箱１の中に入れられるので、従来のように二つ折りされた復元力を有する投票用紙が、投票箱１の投票口３に投票用紙が止まったままの中途半端な状態に留まる恐れもなく、また、投票用紙を二つ折りとする必要性もないので、復元力を有する特製の投票用紙（合成紙）を使用する必要もなく、投票用紙として普通紙を使用することができる。
【００３１】
また、本発明の断面Ｌ型傾斜板２３は、投票箱として使用されないときには、ヒンジ３７によって枢動されて投票口縁３５と投票口縁３６によって構成される凹部に嵌め込まれて収納され、そして、蓋体２７によって投票箱１の投票口３を覆われ、開票時まで保管場所で保管される。また、断面Ｌ型傾斜板２３には、点検孔２４が所要数形成されているので、例え、断面Ｌ型傾斜板２３と投票口縁３６との間に投票用紙が挟まれたままで残っていても、点検孔２４によって挟まれている投票用紙を確認できる。
【００３２】
更に、図１３は、折畳み傾斜板２８を使用した投票箱１に係るもので、この図１５に図示されている本発明の投票箱に付設する第４の実施の態様である傾斜板について説明すると、投票箱１には上面２に投票口３が設けられており、該投票口３の一方端で前方の立上がり縁４側には投票用紙散逸防止縁３０が形成されており、また、後方の立上がり縁４側で両側の立上がり縁４側よりには係止孔３１、３１が形成されている。
【００３３】
折畳み傾斜板２８は略四角形の板体であり、その幅は投票口３と略同じ幅を有しており、折畳み傾斜板２８の先端部は投票口３から投票箱１の中に差し込まれており、折畳み傾斜板２８の裏面に取付けられたヒンジ３３によって投票口３の前記投票用紙散逸防止縁３０に対向する側に枢着されていると共に、折畳み傾斜板２８の裏面上方には支承板２９がヒンジ３２によって枢着されている。また、支承板２９の両下端には投票口３の上面に形成された前記係止孔３１、３１に係止される係止片３４、３４が形成されている。
【００３４】
このように構成された折畳み傾斜板２８を設けた投票箱１を使用しての投票の際には、折畳み傾斜板２８を引き起こして支承板２９の両下端に形成された係止片３４、３４を投票口３の上面に形成された係止孔３１、３１に係止する。このとき、折畳み傾斜板２８の先端部は、投票口３から投票箱１の中に差し込まれているので、選挙人は、記載場所で投票用紙に候補者の氏名を記載後、投票用紙の記載面を下向きにして折畳み傾斜板２８の表面側に押し当てながら投票箱１の投票口３に投票用紙を入れる。
【００３５】
そして、このようにして投票された投票用紙は、折畳み傾斜板２８の表面に沿って投票口３から確実に投票箱１の中に入れられるので、従来のように二つ折りされた復元力を有する投票用紙が、投票箱１の投票口３に投票用紙が止まったままの中途半端な状態に留まる恐れもなく、また、投票用紙を二つ折りとする必要性もないので、復元力を有する特製の投票用紙を使用する必要もなく、投票用紙として普通紙を使用することができる。
【００３６】
また、本発明の折畳み傾斜板２８は、投票箱として使用されないときには、図１６のように投票箱１の上面２に折り畳まれ、折畳み傾斜板２８の投票口３から投票箱１の中に差し込まれた先端部によって投票口３を閉塞すると共に、蓋体によって投票箱１の投票口３を覆われて開票時まで保管場所で保管される。また、折畳み傾斜板２８に形成されている点検孔２４によって投票箱１の上面２と折畳み傾斜板２８とによって挟まれている投票用紙を確認できる。投票口３に形成された投票用紙散逸防止縁３０は、折畳み傾斜板２８に沿って入れられる投票用紙が確実に投票口３に入るようにするためのものである。
【００３７】
【発明の効果】
以上説明したように、本発明の選挙用の投票箱は、投票箱の投票口に傾斜版を付設することにより、下記の効果を奏する。
１．投票用紙を二つ折りにして投票口に入れる必要がなく、折り畳まれた投票用紙の拡がろうとする復元力によって投票用紙が投票口に中途半端な状態で止まると云う事態を起こすことなく確実に投票口に入れることができる。また、従来の投票用紙のように、復元力を有する特性の合成紙が使用されているとは云え、二つ折りにされたままの投票用紙が混在し、このような投票用紙を開く必要がないので、開票作業時間をより短縮することができる。
２．投票用紙の記載面を傾斜板に沿わせて入れることができるので、他人に投票用紙の記載内容を見られる恐れが無く投票することができる。
３．投票用紙を二つ折りにして投票口に入れる必要がないので、従来のように二つに折り畳んでも元のように開く復元力を有する特製の合成紙を使用することなく、普通紙を使用することができるので、投票用紙代を軽減することができる。
【図面の簡単な説明】
【図１】従来の選挙の投票箱の斜視図、
【図２】投票箱の投票口に投票用紙を差し入れた状態図、
【図３】本発明の投票箱に付設する第１の実施の態様の傾斜板の平面図、
【図４】図３の傾斜板の側断面図、
【図５】図４の傾斜板の折り畳んだ状態図、
【図６】本発明の投票箱に付設する第２の実施の態様の傾斜板の平面図、
【図７】図６の傾斜板の側断面図、
【図８】図６の傾斜板を取り外した選挙用投票箱の側断面図、
【図９】本発明の投票箱に付設する第３の実施の態様の傾斜板を投票箱に付設した投票箱の斜視図、
【図１０】図９の傾斜板の側断面図、
【図１１】図９の傾斜板を収納の状態図、
【図１２】図９の傾斜板を蓋体で被覆した状態図、
【図１３】本発明の投票箱に付設する第４の実施の態様の傾斜板を投票箱に付設した投票箱の斜視図、
【図１４】図１３の傾斜板の平面図、
【図１５】図１３の傾斜板の側断面図、
【図１６】図１３の傾斜板の折り畳んだ状態図である。
【符号の説明】
１  投票箱、  ２  上面、  ３  投票口、  ４  立上がり縁、  ５  蓋体、６  ヒンジ、  ７  錠取付片、  ８  錠取付片、  ９  投票口縁、１０  投票用紙、１１１  傾斜板、  １１２  傾斜板、  １２  案内縁、１３  フック部、  １４  ヒンジ、  １５  支え板、  １６  ヒンジ、１７  支承板、  １７１  支承係止片、  １８  係止孔、  １９  係止部、２０  蓋体、  ２１  ヒンジ、  ２２  錠取付片、  ２３  断面Ｌ型傾斜板、２３１  短片、  ２４  点検孔、  ２５  周り縁、２６  把手、  ２７  蓋体、２８  折畳み傾斜板、  ２９  支承板、  ３０  投票用紙散逸防止縁、３１  係止孔、  ３２  ヒンジ、  ３３  ヒンジ、  ３４  係止片、３５  投票口縁、  ３６  投票口縁、  ３７  ヒンジ。
【図１】
0003914712.tif 000002
【図２】
0003914712.tif 000003
【図３】
0003914712.tif 000004
【図４】
0003914712.tif 000005
【図５】
0003914712.tif 000006
【図６】
0003914712.tif 000007
【図７】
0003914712.tif 000008
【図８】
0003914712.tif 000009
【図９】
0003914712.tif 000010
【図１０】
0003914712.tif 000011
【図１１】
0003914712.tif 000012
【図１２】
0003914712.tif 000013
【図１６】
0003914712.tif 000014
【図１３】
0003914712.tif 000015
【図１５】
0003914712.tif 000016
【図１４】
0003914712.tif 000017